(57)【特許請求の範囲】
【請求項１】
情報を送信する送信部と、
情報を受信する受信部と、
エレベーターの管理者の端末に向けて、災害発生時の訓練の開始を促す訓練開始促進情報を前記送信部に送信させ、その後、前記管理者の端末から前記受信部が前記訓練開始促進情報に対応した訓練開始指示情報を受信した際に、前記エレベーターに対して災害発生時の訓練用の運転を開始させる訓練運転開始情報を前記送信部に送信させる制御部と、
を備えたエレベーターの災害訓練装置。
【請求項２】
情報を送信する送信部と、
情報を受信する受信部と、
エレベーターの管理者の端末に向けて、複数種の災害発生時の訓練の開始を促す訓練開始促進情報を前記送信部に送信させ、その後、前記管理者の端末から前記受信部が複数種の災害発生時の訓練のうちの少なくとも１つの訓練に対応した訓練開始指示情報を受信した際に、前記エレベーターに対して前記訓練開始指示情報に対応した訓練用の運転を開始させる訓練運転開始情報を前記送信部に送信させる制御部と、
を備えた請求項１に記載のエレベーターの災害訓練装置。
【請求項３】
前記制御部は、前記端末が外部からの操作により前記訓練開始指示情報を送信し、前記受信部が前記端末から前記訓練開始指示情報を受信した際に、前記訓練運転開始情報を前記送信部に送信させる請求項１または請求項２に記載のエレベーターの災害訓練装置。
【請求項４】
前記制御部は、前記エレベーターに設けられた機器が外部からの特定の操作により前記訓練開始指示情報を送信し、前記受信部が前記機器から前記訓練開始指示情報を受信した際に、前記訓練運転開始情報を前記送信部に送信させる請求項１または請求項２に記載のエレベーターの災害訓練装置。
【請求項５】
前記制御部は、前記エレベーターの乗場またはかごに設けられたビーコン装置が電波を送信し、前記管理者の携帯端末が前記ビーコン装置からの電波を受信し、前記管理者の携帯端末が当該電波に対応した前記訓練開始指示情報を自動で送信し、前記受信部が前記管理者の携帯端末から前記訓練開始指示情報を受信した際に、前記訓練運転開始情報を前記送信部に送信させる請求項１または請求項２に記載のエレベーターの災害訓練装置。
【請求項６】
前記制御部は、前記エレベーターの乗場またはかごに設けられた読取装置が前記管理者の識別体から識別情報を読み取り、前記読取装置が当該識別情報に対応した前記訓練開始指示情報を送信し、前記受信部が前記読取装置から前記訓練開始指示情報を受信した際に、前記訓練運転開始情報を前記送信部に送信させる請求項１または請求項２に記載のエレベーターの災害訓練装置。
【請求項７】
前記制御部は、前記端末が外部からの操作により訓練終了指示情報を送信し、前記受信部が前記端末から前記訓練終了指示情報を受信した際に、前記エレベーターに対して災害発生時の訓練用の運転を終了させる訓練運転終了情報を前記送信部に送信させる請求項１から請求項６のいずれか一項に記載のエレベーターの災害訓練装置。
【請求項８】
前記制御部は、前記エレベーターに設けられた機器が外部からの特定の操作により訓練終了指示情報を送信し、前記受信部が前記機器から前記訓練終了指示情報を受信した際に、前記エレベーターに対して災害発生時の訓練用の運転を終了させる訓練運転終了情報を前記送信部に送信させる請求項１から請求項６のいずれか一項に記載のエレベーターの災害訓練装置。
【請求項９】
エレベーターの管理者の端末に向けて、災害発生時の訓練の開始を促す訓練開始促進情報を送信し、その後、前記管理者の端末から前記訓練開始促進情報に対応した訓練開始指示情報を受信した際に、訓練運転開始情報を送信する災害訓練装置と、
前記災害訓練装置から前記訓練運転開始情報を受信した際に、前記エレベーターに対して災害発生時の訓練用の運転を開始させる制御装置と、
を備えたエレベーターシステム。
【請求項１０】
エレベーターの管理者の端末に向けて、複数種の災害発生時の訓練の開始を促す訓練開始促進情報を送信し、その後、前記管理者の端末から複数種の災害発生時の訓練のうちの少なくとも１つの訓練に対応した訓練開始指示情報を受信した際に、前記訓練開始指示情報に対応した訓練運転開始情報を送信する災害訓練装置と、
前記災害訓練装置から前記訓練運転開始情報を受信した際に、前記エレベーターに対して前記訓練運転開始情報に対応した災害発生時の訓練用の運転を開始させる制御装置と、
を備えたエレベーターシステム。
【請求項１１】
前記災害訓練装置は、前記端末が外部からの操作により前記訓練開始指示情報を送信し、前記端末から前記訓練開始指示情報を受信した際に、前記訓練運転開始情報を送信する請求項９または請求項１０に記載のエレベーターシステム。
【請求項１２】
前記災害訓練装置は、前記エレベーターに設けられた機器が外部からの特定の操作により前記訓練開始指示情報を送信し、前記機器から前記訓練開始指示情報を受信した際に、前記訓練運転開始情報を送信する請求項９または請求項１０に記載のエレベーターシステム。
【請求項１３】
前記エレベーターの乗場またはかごに設けられたビーコン装置、
を備え、
前記災害訓練装置は、前記ビーコン装置が電波を送信し、前記管理者の携帯端末が前記ビーコン装置からの電波を受信し、前記管理者の携帯端末が当該電波に対応した前記訓練開始指示情報を自動で送信し、前記管理者の携帯端末から前記訓練開始指示情報を受信した際に、前記訓練運転開始情報を送信する請求項９または請求項１０に記載のエレベーターシステム。
【請求項１４】
前記エレベーターの乗場またはかごに設けられた読取装置、
を備え、
前記災害訓練装置は、前記読取装置が前記管理者の識別体から識別情報を読み取り、前記読取装置が当該識別情報に対応した前記訓練開始指示情報を送信し、前記読取装置から前記訓練開始指示情報を受信した際に、前記訓練運転開始情報を送信する請求項９または請求項１０に記載のエレベーターシステム。
【請求項１５】
前記災害訓練装置は、前記端末が外部からの操作により訓練終了指示情報を送信し、前記端末から前記訓練終了指示情報を受信した際に、訓練運転終了情報を送信し、
前記制御装置は、前記災害訓練装置から前記訓練運転終了情報を受信した際に、前記エレベーターに対して災害発生時の訓練用の運転を終了させる請求項９から請求項１４のいずれか一項に記載のエレベーターシステム。
【請求項１６】
前記災害訓練装置は、前記エレベーターに設けられた機器が外部からの特定の操作により訓練終了指示情報を送信し、前記機器から前記訓練終了指示情報を受信した際に、訓練運転終了情報を送信し、
前記制御装置は、前記災害訓練装置から前記訓練運転終了情報を受信した際に、前記エレベーターに対して災害発生時の訓練用の運転を終了させる請求項９から請求項１４のいずれか一項に記載のエレベーターシステム。
【発明の詳細な説明】
【技術分野】
【０００１】
本開示は、災害発生時の訓練を実施するエレベーターの災害訓練装置およびエレベーターシステムに関する。
【背景技術】
【０００２】
特許文献１は、エレベーターの災害訓練システムを開示する。当該災害訓練システムによれば、エレベーターに対して災害発生時の訓練用の運転を開始させることができる。
【先行技術文献】
【特許文献】
【０００３】
【特許文献１】日本特許６２４４２８３号公報
【発明の概要】
【発明が解決しようとする課題】
【０００４】
しかしながら、特許文献１に記載の災害訓練システムにおいては、エレベーターの運転は、予め設定されたスケジュールに従って、通常運転から災害発生時の訓練用の運転に切り替えられる。このため、状況により好ましくないタイミングでも、エレベーターにおいて災害発生時の訓練用の運転が強制的に行われる場合もある。【０００５】
本開示は、上述の課題を解決するためになされた。本開示の目的は、状況に応じて、エレベーターに対して災害発生時の訓練用の運転を開始させるタイミングを調整することができるエレベーターの保守作業支援システムを提供することである。
【課題を解決するための手段】
【０００６】
本開示に係るエレベーターの災害訓練装置は、情報を送信する送信部と、情報を受信する受信部と、エレベーターの管理者の端末に向けて、災害発生時の訓練の開始を促す訓練開始促進情報を前記送信部に送信させ、その後、前記管理者の端末から前記受信部が前記訓練開始促進情報に対応した訓練開始指示情報を受信した際に、前記エレベーターに対して災害発生時の訓練用の運転を開始させる訓練運転開始情報を前記送信部に送信させる制御部と、を備えた。
本開示に係るエレベーターの災害訓練装置は、情報を送信する送信部と、情報を受信する受信部と、エレベーターの管理者の端末に向けて、複数種の災害発生時の訓練の開始を促す訓練開始促進情報を前記送信部に送信させ、その後、前記管理者の端末から前記受信部が複数種の災害発生時の訓練のうちの少なくとも１つの訓練に対応した訓練開始指示情報を受信した際に、前記エレベーターに対して前記訓練開始指示情報に対応した訓練用の運転を開始させる訓練運転開始情報を前記送信部に送信させる制御部と、を備えた。
【０００７】
本開示に係るエレベーターシステムは、エレベーターの管理者の端末に向けて、災害発生時の訓練の開始を促す訓練開始促進情報を送信し、その後、前記管理者の端末から前記訓練開始促進情報に対応した訓練開始指示情報を受信した際に、訓練運転開始情報を送信する災害訓練装置と、前記災害訓練装置から前記訓練運転開始情報を受信した際に、前記エレベーターに対して災害発生時の訓練用の運転を開始させる制御装置と、を備えた。
本開示に係るエレベーターシステムは、エレベーターの管理者の端末に向けて、複数種の災害発生時の訓練の開始を促す訓練開始促進情報を送信し、その後、前記管理者の端末から複数種の災害発生時の訓練のうちの少なくとも１つの訓練に対応した訓練開始指示情報を受信した際に、前記訓練開始指示情報に対応した訓練運転開始情報を送信する災害訓練装置と、前記災害訓練装置から前記訓練運転開始情報を受信した際に、前記エレベーターに対して前記訓練運転開始情報に対応した災害発生時の訓練用の運転を開始させる制御装置と、を備えた。
【発明の効果】
【０００８】
本開示によれば、状況に応じて、エレベーターに対して災害発生時の訓練用の運転を開始させるタイミングを調整することができる。
【図面の簡単な説明】
【０００９】
【図１】実施の形態１におけるエレベーターシステムの構成図である。
【図２】実施の形態１におけるエレベーターシステムの監視装置のブロック図である。
【図３】実施の形態１におけるエレベーターシステムの監視装置の動作の概要を説明するためのフローチャートである。
【図４】実施の形態１におけるエレベーターシステムの監視装置のハードウェア構成図である。
【図５】実施の形態２におけるエレベーターシステムの構成図である。
【図６】実施の形態３におけるエレベーターシステムの構成図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略する。
【００１１】
実施の形態１．
図１は実施の形態１におけるエレベーターシステムの構成図である。
【００１２】
図１のエレベーターシステムにおいて、昇降路１は、図示されない建築物の各階を貫く。機械室２は、昇降路１の直上に設けられる。複数の乗場３の各々は、建築物の各階に設けられる。複数の乗場３の各々は、昇降路１に対向する。
【００１３】
巻上機４は、機械室２に設けられる。主ロープ５は、巻上機４に巻き掛けられる。
【００１４】
かご６は、昇降路１の内部に設けられる。かご６は、主ロープ５の一側に吊るされる。釣合おもり７は、昇降路１の内部に設けられる。釣合おもり７は、主ロープ５の他側に吊るされる。
【００１５】
制御装置８は、機械室２に設けられる。制御装置８は、巻上機４とかご６の機器とに電気的に接続される。制御装置８は、エレベーターを全体的に制御し得るように設けられる。
【００１６】
監視装置９は、機械室２に設けられる。監視装置９は、制御装置８に電気的に接続される。監視装置９は、制御装置８からの情報に基づいてエレベーターの状態を監視し得るように設けられる。
【００１７】
情報センター装置１０は、エレベーターが設けられた建築物から離れた場所に設けられる。例えば、情報センター装置１０は、エレベーターの保守会社に設けられる。情報センター装置１０は、監視装置９からの情報に基づいてエレベーターの状態を把握し得るように設けられる。
【００１８】
例えば、監視装置９は、災害訓練装置として、予め設定されたスケジュールに基づいて、エレベーターの管理者のスマートフォン、パーソナルコンピュータ等の端末Ａに向けて、地震、火災、停電等の災害発生時の訓練の開始を促す訓練開始促進情報を送信する。
【００１９】
例えば、管理者の端末Ａは、監視装置９からの訓練開始促進情報を表示する。例えば、管理者の端末Ａは、監視装置９からの訓練開始促進情報を音声で出力する。管理者は、当該訓練開始促進情報を受けて災害発生時の訓練を開始するか否かを判断する。
【００２０】
管理者は、災害発生時の訓練を開始すると判断した際に外部から端末Ａを操作することで監視装置９に向けて、訓練開始指示情報を端末Ａに送信させる。例えば、管理者は、端末Ａのタッチパネルに表示された「訓練開始」のボタンに触れることで訓練開始指示情報を端末Ａに送信させる。例えば、管理者は、端末Ａのマイクに向けて「訓練開始」との音声を入力することで訓練開始指示情報を端末に送信させる。
【００２１】
監視装置９は、管理者の端末Ａから訓練開始指示情報を受信した際に制御装置８に向けて、訓練運転開始情報を送信する。
【００２２】
制御装置８は、監視装置９から訓練運転開始情報を受信した際にエレベーターに対して災害発生時の訓練用の運転を開始させる。
【００２３】
次に、図２を用いて、監視装置９を説明する。
図２は実施の形態１におけるエレベーターシステムの監視装置のブロック図である。
【００２４】
図２に示されるように、監視装置９は、送信部９ａと受信部９ｂと制御部９ｃとを備える。
【００２５】
送信部９ａは、情報を送信し得るように設けられる。例えば、送信部９ａは、制御装置８に向けて情報を送信する。例えば、送信部９ａは、情報センター装置１０に向けて情報を送信する。例えば、送信部９ａは、管理者の端末Ａに向けて情報を送信する。
【００２６】
受信部９ｂは、情報を受信し得るように設けられる。例えば、受信部９ｂは、制御装置８からの情報を受信する。例えば、受信部９ｂは、情報センター装置１０から情報を受信する。例えば、受信部９ｂは、管理者の端末Ａから情報を受信する。
【００２７】
制御部９ｃは、送信部９ａと受信部９ｂとの動作を制御し得るように設けられる。例えば、制御部９ｃは、管理者の端末Ａに向けて、災害発生時の訓練の開始を促す訓練開始促進情報を送信部９ａに送信させる。例えば、制御部９ｃは、受信部９ｂが訓練開始促進情報に対応した訓練開始指示情報を受信した際に、制御装置８に対して災害発生時の訓練用の運転を開始させる訓練運転開始情報を送信部９ａに送信させる。
【００２８】
次に、図３を用いて、監視装置９の動作の概要を説明する。
図３は実施の形態１におけるエレベーターシステムの監視装置の動作の概要を説明するためのフローチャートである。
【００２９】
ステップＳ１では、監視装置９は、予め設定されたスケジュールに基づいて現時刻が災害時の訓練の開始を促す時刻であるか否かを判定する。ステップＳ１で現時刻が災害時の訓練の開始を促す時刻でない場合、監視装置９は、ステップＳ１の動作を行う。ステップＳ１で現時刻が災害時の訓練の開始を促す時刻である場合、監視装置９は、ステップＳ２の動作を行う。
【００３０】
ステップＳ２では、監視装置９は、管理者の端末Ａに向けて、訓練開始促進情報を送信する。その後、監視装置９は、ステップＳ３の動作を行う。ステップＳ３では、監視装置９は、予め設定された時刻までに管理者の端末Ａから訓練開始促進情報に対応した訓練開始指示情報が受信されたか否かを判定する。
【００３１】
ステップＳ３で予め設定された時刻までに管理者の端末Ａから訓練開始促進情報に対応した訓練開始指示情報が受信されていない場合、監視装置９は、ステップＳ１の動作を行う。ステップＳ３で予め設定された時刻までに管理者の端末Ａから訓練開始促進情報に対応した訓練開始指示情報が受信された場合、監視装置９は、ステップＳ４の動作を行う。
【００３２】
ステップＳ４では、監視装置９は、訓練運転開始情報を送信する。その後、監視装置９は、動作を終了する。
【００３３】
以上で説明した実施の形態１によれば、監視装置９は、管理者の端末Ａに向けて、災害発生時の訓練の開始を促す訓練開始促進情報を送信する。監視装置９は、訓練開始促進情報に対応した訓練開始指示情報を受信した際に、制御装置８に対して災害発生時の訓練用の運転を開始させる訓練運転開始情報を送信する。制御装置８は、監視装置９から訓練運転開始情報を受信した際にエレベーターに対して訓練運転開始情報に対応した災害発生時の訓練用の運転を開始させる。このため、状況に応じて、専門的な技術者を派遣することなく、エレベーターに対して災害発生時の訓練用の運転を開始させるタイミングを調整することができる。
【００３４】
なお、監視装置９の制御部９ｃにおいて、管理者の端末Ａに向けて、複数種の災害発生時の訓練の開始を促す訓練開始促進情報を送信してもよい。この場合、受信部９ｂが複数種の災害発生時の訓練のうちの少なくとも１つの訓練に対応した訓練開始指示情報を受信した際に、制御部９ｃにおいて、制御装置８に対して訓練開始指示情報に対応した訓練用の運転を開始させる訓練運転開始情報を送信部９ａに送信させてよい。
【００３５】
例えば、監視装置９の制御部９ｃにおいて、複数種の災害発生時として、地震発生時と火災発生時と停電発生時との訓練の開始を促す訓練開始促進情報を送信してもよい。管理者は、地震発生時の訓練のみを開始すると判断した際に外部から端末Ａを操作することで地震発生時の訓練のみに対応した訓練開始指示情報を端末Ａに送信させさればよい。管理者は、火災発生時の訓練のみを開始すると判断した際に外部から端末Ａを操作することで火災発生時の訓練のみに対応した訓練開始指示情報を端末Ａに送信させさればよい。管理者は、停電発生時の訓練のみを開始すると判断した際に外部から端末Ａを操作することで停電発生時の訓練のみに対応した訓練開始指示情報を端末Ａに送信させさればよい。管理者は、地震発生時と火災発生時と停電発生時との訓練を連続して開始すると判断した際に外部から端末Ａを操作することで地震発生時と火災発生時との訓練に対応した訓練開始指示情報を端末Ａに送信させさればよい。
【００３６】
また、管理者は、エレベーターの乗場、かご、監視室等に設けられたスイッチ、釦等の機器に対して外部から特定の操作を行うことにより当該機器に訓練開始指示情報を送信させてもよい。例えば、乗場３において上昇用乗場呼び釦と下降用乗場呼び釦とを同時に押すことにより、訓練開始指示情報を送信させてもよい。例えば、かご６において戸開釦と戸閉釦とを同時に押すことにより、訓練開始指示情報を送信させてもよい。この場合、管理者が端末Ａを携帯していない場合でも、エレベーターに対して災害発生時の訓練用の運転を開始させるタイミングを調整することができる。
【００３７】
また、エレベーターが災害発生時の訓練用の運転を行っている際中に、予め設定された条件に基づいてエレベーターの災害発生時の訓練用の運転を終了させてもよい。
【００３８】
例えば、監視装置９の制御部９ｃにおいて、端末Ａが外部からの操作により訓練終了指示情報を送信し、受信部９ｂが端末Ａから訓練終了指示情報を受信した際に、制御装置８に対して災害発生時の訓練用の運転を終了させる訓練運転終了情報を送信部９ａに送信させてもよい。この場合、状況に応じて、エレベーターに対し、災害発生時の訓練用の運転を終了させ、通常運転を開始させることができる。
【００３９】
例えば、監視装置９の制御部９ｃにおいて、エレベーターの乗場、かご、監視室等に設けられたスイッチ、釦等の機器が外部からの特定の操作により訓練終了指示情報を送信し、受信部９ｂが機器から訓練終了指示情報を受信した際に、制御装置８に対して災害発生時の訓練用の運転を終了させる訓練運転終了情報を送信部９ａに送信させてもよい。例えば、乗場３において上昇用乗場呼び釦と下降用乗場呼び釦とを同時に押すことにより、訓練終了指示情報を送信させてもよい。例えば、かご６において戸開釦と戸閉釦とを同時に押すことにより、訓練終了指示情報を送信させてもよい。管理者が端末を携帯していない場合でも、エレベーターに対し、災害発生時の訓練用の運転を終了させ、通常運転を開始させることができる。
【００４０】
次に、図４を用いて、監視装置９の例を説明する。
図４は実施の形態１におけるエレベーターシステムの監視装置のハードウェア構成図である。
【００４１】
監視装置９の各機能は、処理回路により実現し得る。例えば、処理回路は、少なくとも１つのプロセッサ１００ａと少なくとも１つのメモリ１００ｂとを備える。例えば、処理回路は、少なくとも１つの専用のハードウェア２００を備える。
【００４２】
処理回路が少なくとも１つのプロセッサ１００ａと少なくとも１つのメモリ１００ｂとを備える場合、監視装置９の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１００ｂに格納される。少なくとも１つのプロセッサ１００ａは、少なくとも１つのメモリ１００ｂに記憶されたプログラムを読み出して実行することにより、監視装置９の各機能を実現する。少なくとも１つのプロセッサ１００ａは、中央処理装置、処理装置、演算装置、マイクロプロセッサ、マイクロコンピュータ、ＤＳＰともいう。例えば、少なくとも１つのメモリ１００ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００４３】
処理回路が少なくとも１つの専用のハードウェア２００を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、監視装置９の各機能は、それぞれ処理回路で実現される。例えば、監視装置９の各機能は、まとめて処理回路で実現される。
【００４４】
監視装置９の各機能について、一部を専用のハードウェア２００で実現し、他部をソフトウェアまたはファームウェアで実現してもよい。例えば、制御部９ｃの機能については専用のハードウェア２００としての処理回路で実現し、制御部９ｃの機能以外の機能については少なくとも１つのプロセッサ１００ａが少なくとも１つのメモリ１００ｂに格納されたプログラムを読み出して実行することにより実現してもよい。
【００４５】
このように、処理回路は、ハードウェア２００、ソフトウェア、ファームウェア、またはこれらの組み合わせで監視装置９の各機能を実現する。
【００４６】
図示されないが、制御装置８の各機能も、監視装置９の各機能を実現する処理回路と同等の処理回路で実現される。情報センター装置１０の各機能も、監視装置９の各機能を実現する処理回路と同等の処理回路で実現される。
【００４７】
実施の形態２．
図５は実施の形態２におけるエレベーターシステムの構成図である。なお、実施の形態１の部分と同一又は相当部分には同一符号が付される。当該部分の説明は省略される。
【００４８】
実施の形態２において、複数の乗場側ビーコン装置１１の各々は、複数の乗場３の各々に設けられる。乗場側ビーコン装置１１は、所定の複数の乗場３に設けられてもよい。乗場側ビーコン装置１１は、所定の乗場３のみに設けられてもよい。かご側ビーコン装置１２は、かご６の内部に設けられる。
【００４９】
複数の乗場側ビーコン装置１１の各々は、少なくとも当該エレベーターの識別情報に対応した電波を送信する。かご側ビーコン装置１２は、少なくとも当該エレベーターの識別情報に対応した電波を送信する。
【００５０】
例えば、管理者は、災害発生時の訓練を開始すると判断した際に複数の乗場３のうちのいずれかの乗場３に近づく。この際、管理者の端末Ａは、当該乗場３の乗場側ビーコン装置１１からの電波を受信する。管理者の端末Ａは、当該電波の識別情報に対応した訓練開始指示情報を自動で送信する。
【００５１】
情報センター装置１０は、管理者の端末Ａからの訓練開始指示情報を受信する。情報センター装置１０は、当該訓練開始指示情報に含まれる識別情報に基づいて該当するエレベーターを把握する。情報センター装置１０は、当該エレベーターの監視装置９に向けて、訓練開始指示情報を送信する。
【００５２】
当該エレベーターにおいて、監視装置９は、情報センター装置１０から訓練開始指示情報を受信する。監視装置９は、当該訓練開始指示情報に基づいて、制御装置８に向けて、訓練運転開始情報を送信する。
【００５３】
以上で説明した実施の形態２によれば、監視装置９は、乗場側ビーコン装置１１が電波を送信し、管理者の端末Ａが乗場側ビーコン装置１１からの電波を受信し、管理者の端末Ａが当該電波に対応した訓練開始指示情報を自動で送信し、管理者の端末Ａから訓練開始指示情報を受信した際に、訓練運転開始情報を送信する。このため、管理者が特定の機器に特別な操作をしなくても、エレベーターに対して災害発生時の訓練用の運転を開始させるタイミングを調整することができる。
【００５４】
なお、乗場側ビーコン装置１１がなくてもよい。この場合、監視装置９において、かご側ビーコン装置１２が電波を送信し、管理者の端末Ａがかご側ビーコン装置１２からの電波を受信し、管理者の端末Ａが当該電波に対応した訓練開始指示情報を自動で送信し、管理者の端末Ａから訓練開始指示情報を受信した際に、訓練運転開始情報を送信すればよい。この場合も、管理者が特定の機器に特別な操作をしなくても、エレベーターに対して災害発生時の訓練用の運転を開始させるタイミングを調整することができる。
【００５５】
なお、かご側ビーコン装置１２がなくてもよい。この場合、監視装置９において、乗場側ビーコン装置１１が電波を送信し、管理者の端末Ａが乗場側ビーコン装置１１からの電波を受信し、管理者の端末Ａが当該電波に対応した訓練開始指示情報を自動で送信し、管理者の端末Ａから訓練開始指示情報を受信した際に、訓練運転開始情報を送信すればよい。この場合も、管理者が特定の機器に特別な操作をしなくても、エレベーターに対して災害発生時の訓練用の運転を開始させるタイミングを調整することができる。
【００５６】
実施の形態３．
図６は実施の形態３におけるエレベーターシステムの構成図である。なお、実施の形態１の部分と同一又は相当部分には同一符号が付される。当該部分の説明は省略される。
【００５７】
実施の形態３において、複数の乗場側読取装置１３の各々は、複数の乗場３の各々に設けられる。乗場側読取装置１３は、所定の複数の乗場３に設けられてもよい。乗場側読取装置１３は、所定の乗場３のみに設けられてもよい。かご側読取装置１４は、かご６の内部に設けられる。例えば、複数の乗場側読取装置１３の各々とかご側読取装置１４とは、カードリーダである。例えば、複数の乗場側読取装置１３の各々とかご側読取装置１４とは、タグリーダである。
【００５８】
例えば、管理者は、識別体１５を携帯する。例えば、識別体１５は、ＩＣカードである。例えば、識別体１５は、ＩＣタグである。識別体１５は、管理者に対応した識別情報を記憶する。
【００５９】
管理者は、災害発生時の訓練を開始すると判断した際に複数の乗場側読取装置１３のいずれかの乗場側読取装置１３またはかご側読取装置１４に識別体１５を近づけることによりいずれかの乗場側読取装置１３またはかご側読取装置１４に識別体１５から識別情報を読み取らせる。
【００６０】
いずれかの乗場側読取装置１３またはかご側読取装置１４は、当該識別情報に対応した訓練開始指示情報を送信する。
【００６１】
監視装置９は、いずれかの乗場側読取装置１３またはかご側読取装置１４から訓練開始指示情報を受信した際に訓練運転開始情報を送信する。
【００６２】
以上で説明した実施の形態３によれば、監視装置９は、いずれかの乗場側読取装置１３またはかご側読取装置１４が管理者の識別体１５から識別情報を読み取り、いずれかの乗場側読取装置１３またはかご側読取装置１４が当該識別情報に対応した訓練開始指示情報を送信し、いずれかの乗場側読取装置１３またはかご側読取装置１４から訓練開始指示情報を受信した際に、訓練運転開始情報を送信する。このため、管理者による簡単な操作で、エレベーターに対して災害発生時の訓練用の運転を開始させるタイミングを調整することができる。
【００６３】
なお、乗場側読取装置１３がなくてもよい。この場合、管理者は、災害発生時の訓練を開始すると判断した際にかご側読取装置１４に識別体１５を近づけることによりかご側読取装置１４に識別体１５から識別情報を読み取らせればよい。
【００６４】
なお、かご側読取装置１４がなくてもよい。この場合、管理者は、災害発生時の訓練を開始すると判断した際に乗場側読取装置１３に識別体１５を近づけることにより乗場側読取装置１３に識別体１５から識別情報を読み取らせればよい。
【００６５】
なお、機械室２がなくて巻上機４と制御装置８と監視装置とが昇降路１の下部または上部に設けられているエレベーターに、実施の形態１から実施の形態３の災害訓練装置としての監視装置９を、昇降路１に設けられる監視装置として適用してもよい。
【００６６】
また、実施の形態１から実施の形態３の災害訓練装置としての機能の一部または全部を監視装置９以外の装置に持たせてもよい。例えば、実施の形態１から実施の形態３の災害訓練装置としての機能の一部または全部を制御装置８に持たせてもよい。実施の形態１から実施の形態３の災害訓練装置としての機能の一部または全部を情報センター装置１０に持たせてもよい。
【産業上の利用可能性】
【００６７】
以上のように、本開示に係るエレベーターの災害訓練装置およびエレベーターシステムは、災害発生時の訓練を実施するシステムに利用できる。
【符号の説明】
【００６８】
１  昇降路、  ２  機械室、  ３  乗場、  ４  巻上機、  ５  主ロープ、  ６  かご、  ７  釣合おもり、  ８  制御装置、  ９  監視装置、  ９ａ  送信部、  ９ｂ  受信部、  ９ｃ  制御部、  １０  情報センター装置、  １１  乗場側ビーコン装置、  １２  かご側ビーコン装置、  １３  乗場側読取装置、  １４  かご側読取装置、  １５  識別体、  １００ａ  プロセッサ、  １００ｂ  メモリ、  ２００  ハードウェア
【要約】
状況に応じて、エレベーターに対して災害発生時の訓練用の運転を開始させるタイミングを調整することができるエレベーターの災害訓練装置を提供する。エレベーターの災害訓練装置は、情報を送信する送信部と、情報を受信する受信部と、エレベーターの管理者の端末に向けて、災害発生時の訓練の開始を促す訓練開始促進情報を前記送信部に送信させ、前記受信部が前記訓練開始促進情報に対応した訓練開始指示情報を受信した際に、前記エレベーターに対して災害発生時の訓練用の運転を開始させる訓練運転開始情報を前記送信部に送信させる制御部と、を備えた。【図１】
0006866961.tif 000002
【図２】
0006866961.tif 000003
【図３】
0006866961.tif 000004
【図４】
0006866961.tif 000005
【図５】
0006866961.tif 000006
【図６】
0006866961.tif 000007